(57)【要約】【課題】本体やフードを外壁に固定する際、外壁の内側に配された気密または防水シートの損傷や、あるいは、外壁の損傷が生じないことを目的とする。【解決手段】室内１と室外２を連通し、外壁３より所定の長さだけ突出させたダクト４の外周に挿入して固定するダクト４の外周より大きな開口部５を有したベース部６に、ベース部６の開口部５から突出したダクト４の端面に接するようベース部６の幅寸法より狭く、かつ、ベース部６の開口部５より広いフランジ部７を設け、フランジ部７の略中央に、ダクト４の内周に嵌挿して固定される略中央に開口８を有する筒状部９を有したキャップ部材１０を設け、ベース部６の室外２側にダクト４と連通する開口部１１を有したフード１２を備えたことにより、本体やフードを外壁に固定する際、外壁の内側に配された気密または防水シートの損傷や、あるいは、外壁の損傷が生じない外壁端末換気口を提供できる。【選択図】図１
2010032084.tif 000002
【特許請求の範囲】
【請求項１】
室内と室外を連通し、外壁より所定の長さだけ突出させたダクトの外周に挿入して固定する前記ダクトの外周より大きな開口部を有したベース部に、前記ベース部の前記開口部から突出した前記ダクトの端面に接するよう前記ベース部の幅寸法より狭く、かつ、前記ベース部の前記開口部より広いフランジ部を設け、前記フランジ部の略中央に、前記ダクトの内周に嵌挿して固定される略中央に開口を有する筒状部を有したキャップ部材を設け、前記ベース部の室外側に前記ダクトと連通する開口部を有したフードを備えたことを特徴とする外壁端末換気口。
【請求項２】
ベース部の開口部に、ダクトの外周に密着させるシールパッキンを設けたことを特徴とする請求項１記載の外壁端末換気口。
【請求項３】
ベース部の開口部の外周に、室内側に向けて折り曲げた段落とし部を形成したことを特徴とする請求項１または２記載の外壁端末換気口。
【請求項４】
シールパッキンの内周部の断面形状を室外側に向けてテーパー形状とし、ダクトの外周とシールパッキンを密着させた時に、先端が室外側に傾く形状としたことを特徴とする請求項２記載の外壁端末換気口。
【請求項５】
キャップ部材の筒状部の室内側下端に、上方に向けて折返し部を設けたことを特徴とする請求項１記載の外壁端末換気口。
【請求項６】
キャップ部材の筒状部の外周に、室外側に向けて傾斜もしくは円弧状でバネ性を有する折返しツメ部を設けたことを特徴とする請求項１または５記載の外壁端末換気口。
【請求項７】
折返しツメ部を、筒状部の円周方向に複数個設けたことを特徴とする請求項６記載の外壁端末換気口。
【請求項８】
キャップ部材のフランジ部に、円周方向に複数個の開口部を設けたことを特徴とする請求項１、５、６のいずれかに記載の外壁端末換気口。
【請求項９】
キャップ部材のフランジ部に、室内側に向けて凸部を設けたことを特徴とする請求項１、５、６、８のいずれかに記載の外壁端末換気口。
【請求項１０】
キャップ部材のフランジ部の外周に、室内側に向けて折返し部を設けたことを特徴とする請求項１、５、６、８、９のいずれかに記載の外壁端末換気口。
【請求項１１】
キャップ部材の筒状部の外周に、室外側に向けて傾斜または円弧状で頂部にツメ部を有した抜け止め用金具を設けたことを特徴とする請求項１または５記載の外壁端末換気口。
【請求項１２】
フードの開口部の近傍で、かつ、両サイドの内面に設けられた下端がＬ字状の係合板と、ベース部に設けられ、前記係合板を係止し、前記フードの取付けを案内する係合穴を設けたことを特徴とする請求項１記載の外壁端末換気口。
【請求項１３】
Ｌ字状の係合板の根元側が高く、先端側が低くなるよう傾斜させたことを特徴とする請求項１２記載の外壁端末換気口。
【請求項１４】
フードの開口部に設けられ、ネジ穴を配して形成したガラリまたはネットと、前記ネジ穴に当接するよう係合板にネジ締部を設けたことを特徴とする請求項１または１２記載の外壁端末換気口。
【請求項１５】
フード天面に設けたネジ穴と、ベース部の上部に前記ネジ穴が当接するようネジ締部を配したフード固定板を設けたことを特徴とする請求項１または１４記載の外壁端末換気口。
【発明の詳細な説明】
【技術分野】
【０００１】
室内に設けた換気装置と連通するダクトの端部に接続される形状で外壁に設けられる外壁端末換気口に関する。
【背景技術】
【０００２】
従来、この種の外壁端末換気口では、外壁に取り付けられ、屋外側開口部に位置する略中央に開口部を有したフランジ部と、このフランジ部に取り付いて室内と屋外とを連通して屋外側開口部より所定の長さだけ突出したダクトの外周に密着させるように、フランジの開口部に周接して設け、その略中央に開口を有したシールパッキンとからなる本体と、この本体に設けられ、ダクトと連通する開口を有したフードとを備えて屋外フードを構成したものがある（例えば、特許文献１参照）。
【特許文献１】特開２００３−２０２１４３号公報
【発明の開示】
【発明が解決しようとする課題】
【０００３】
このような従来の外壁端末換気口では、本体やフードを、複数本のネジを使用して外壁に固定する作業が必要であり、その際に外壁の内側に配された気密または防水シートをネジで損傷してしまう恐れがあり、また、ネジにより外壁にクラックが発生し、そこから雨水や積雪が侵入し滞留や凍結することで、外壁の損傷の症状が悪化してしまう恐れがあったという課題がある。
【０００４】
本発明は、このような従来の課題を解決するものであり、本体やフードを外壁に固定する際、外壁の内側に配された気密または防水シートの損傷や、あるいは、外壁の損傷が生じない外壁端末換気口を提供することを目的とする。
【課題を解決するための手段】
【０００５】
本発明の外壁端末換気口は、上記目的を達成するために、室内と室外を連通し、外壁より所定の長さだけ突出させたダクトの外周に挿入して固定する前記ダクトの外周より大きな開口部を有したベース部に、前記ベース部の前記開口部から突出した前記ダクトの端面に接するよう前記ベース部の幅寸法より狭く、かつ、前記ベース部の前記開口部より広いフランジ部を設け、前記フランジ部の略中央に、前記ダクトの内周に嵌挿して固定される略中央に開口を有する筒状部を有したキャップ部材を設け、前記ベース部の室外側に前記ダクトと連通する開口部を有したフードを備えたものである。
【０００６】
また、他の手段は、ベース部の開口部に、ダクトの外周に密着させるシールパッキンを設けたものである。
【０００７】
また、他の手段は、ベース部の開口部の外周に、室内側に向けて折り曲げた段落とし部を形成したものである。
【０００８】
また、他の手段は、シールパッキンの内周部の断面形状を室外側に向けてテーパー形状とし、ダクトの外周とシールパッキンを密着させた時に、先端が室外側に傾く形状としたものである。
【０００９】
また、他の手段は、キャップ部材の筒状部の室内側下端に、上方に向けて折返し部を設けたものである。
【００１０】
また、他の手段は、キャップ部材の筒状部の外周に、室外側に向けて傾斜もしくは円弧状でバネ性を有する折返しツメ部を設けたものである。
【００１１】
また、他の手段は、折返しツメ部を、筒状部の円周方向に複数個設けたものである。
【００１２】
また、他の手段は、キャップ部材のフランジ部に、円周方向に複数個の開口部を設けたものである。
【００１３】
また、他の手段は、キャップ部材のフランジ部に、室内側に向けて凸部を設けたものである。
【００１４】
また、他の手段は、キャップ部材のフランジ部の外周に、室内側に向けて折返し部を設けたものである。
【００１５】
また、他の手段は、キャップ部材の筒状部の外周に、室外側に向けて傾斜または円弧状で頂部にツメ部を有した抜け止め用金具を設けたものである。
【００１６】
また、他の手段は、フードの開口部の近傍で、かつ、両サイドの内面に設けられた下端がＬ字状の係合板と、ベース部に設けられ、前記係合板を係止し、前記フードの取付けを案内する係合穴を設けたものである。
【００１７】
また、他の手段は、Ｌ字状の係合板の根元側が高く、先端側が低くなるよう傾斜させたものである。
【００１８】
また、他の手段は、フードの開口部に設けられ、ネジ穴を配して形成したガラリまたはネットと、前記ネジ穴に当接するよう係合板にネジ締部を設けたものである。
【００１９】
また、他の手段は、フード天面に設けたネジ穴と、ベース部の上部に前記ネジ穴が当接するようネジ締部を配したフード固定板を設けたものである。
【発明の効果】
【００２０】
本発明によれば、室内と室外を連通し、外壁より所定の長さだけ突出させたダクトの外周に挿入して固定する前記ダクトの外周より大きな開口部を有したベース部に、前記ベース部の前記開口部から突出した前記ダクトの端面に接するよう前記ベース部の幅寸法より狭く、かつ、前記ベース部の前記開口部より広いフランジ部を設け、前記フランジ部の略中央に、前記ダクトの内周に嵌挿して固定される略中央に開口を有する筒状部を有したキャップ部材を設け、前記ベース部の室外側に前記ダクトと連通する開口部を有したフードを備えたことにより、本体やフードを外壁に固定する際、外壁の内側に配された気密または防水シートの損傷や、あるいは、外壁の損傷が生じないという効果のある外壁端末換気口を提供することができる。
【００２１】
また、ベース部の開口部に、ダクトの外周に密着させるシールパッキンを設けたことにより、室内への雨水浸入が低減でき、かつ、ダクトへのベース部挿入固定性や取外し性などの作業性が向上でき、かつ、１種類で各種の多少の外形寸法の違いがあるダクトにも対応でき、共用化が図れるという効果のある外壁端末換気口を提供することができる。
【００２２】
また、ベース部の開口部の外周に、室内側に向けて折り曲げた段落とし部を形成したことにより、外壁面からのダクトの出代が少ない場合にもベース部やキャップ部材の固定に支障なく対応できるという効果のある外壁端末換気口を提供することができる。
【００２３】
また、シールパッキンの内周部の断面形状を室外側に向けてテーパー形状とし、ダクトの外周とシールパッキンを密着させた時に、先端が室外側に傾く形状としたことにより、ダクト内から伝わる滴下水が外壁側に流出するのを防ぎ、その下方にある水切部に確実に落とすことができるという効果のある外壁端末換気口を提供することができる。
【００２４】
また、キャップ部材の筒状部の室内側下端に、上方に向けて折返し部を設けたことにより、室内への雨水浸入が、さらに低減できるという効果のある外壁端末換気口を提供することができる。
【００２５】
また、キャップ部材の筒状部の外周に、室外側に向けて傾斜もしくは円弧状でバネ性を有する折返しツメ部を設けたことにより、キャップ部材のダクト内への挿入作業性を損なわずに、抜け強度が増し、本体の落下を防止できるという効果のある外壁端末換気口を提供することができる。
【００２６】
また、折返しツメ部を、筒状部の円周方向に複数個設けたことにより、キャップ部材の固定する強度がさらに向上でき、換気性能を充分に確保できるという効果のある外壁端末換気口を提供することができる。
【００２７】
また、キャップ部材のフランジ部に、円周方向に複数個の開口部を設けたことにより、ダクトに嵌挿固定する際にダクト端面にフランジ面が当接するまで確実に圧入されているかを目視にて確認することができ、確実に圧入することができるという効果のある外壁端末換気口を提供することができる。
【００２８】
また、キャップ部材のフランジ部に、室内側に向けて凸部を設けたことにより、室内への雨水浸入がさらに低減ができ、かつ、凸部によりキャップ部材の強度を向上することができるという効果のある外壁端末換気口を提供することができる。
【００２９】
また、キャップ部材のフランジ部の外周に、室内側に向けて折返し部を設けたことにより、キャップ部材の強度を、さらに向上することができるという効果のある外壁端末換気口を提供することができる。
【００３０】
また、キャップ部材の筒状部の外周に、室外側に向けて傾斜または円弧状で頂部にツメ部を有した抜け止め用金具を設けたことにより、通風路に生じる抵抗を最小限に構成でき、換気性能を向上することができるという効果のある外壁端末換気口を提供することができる。
【００３１】
また、フードの開口部の近傍で、かつ、両サイドの内面に設けられた下端がＬ字状の係合板と、ベース部に設けられ、前記係合板を係止し、前記フードの取付けを案内する係合穴を設けたことにより、フードをベースに固定する際に外壁にネジを使用しないので外壁損傷の恐れがなく、かつ、容易に確実にフードをスライドさせてフードの下端をベース部に固定でき、落下することなく支持することができるという効果のある外壁端末換気口を提供することができる。
【００３２】
また、Ｌ字状の係合板の根元側が高く、先端側が低くなるよう傾斜させたことにより、フードのベース部への挿入作業性を損なわずに、ガタツキを防止し、かつ、確実かつ強固な固定をすることができるという効果のある外壁端末換気口を提供することができる。
【００３３】
また、フードの開口部に設けられ、ネジ穴を配して形成したガラリまたはネットと、前記ネジ穴に当接するよう係合板にネジ締部を設けたことにより、フードの開口部にガラリまたはネットをネジを用いて確実に固定でき、その状態でベース部にスライドさせて確実、かつ、強固に固定することができるという効果のある外壁端末換気口を提供することができる。
【００３４】
また、フード天面に設けたネジ穴と、ベース部の上部に前記ネジ穴が当接するようネジ締部を配したフード固定板を設けたことにより、フードを固定する際に外壁にネジを使用することなく、外壁に固定されたベース部にフード上部がネジを使用して固定可能になるり、外壁損傷の恐れが無く、固定強度が向上し落下防止をすることができるという効果のある外壁端末換気口を提供することができる。
【発明を実施するための最良の形態】
【００３５】
本発明の請求項１記載の外壁端末換気口は、室内と室外を連通し、外壁より所定の長さだけ突出させたダクトの外周に挿入して固定する前記ダクトの外周より大きな開口部を有したベース部に、前記ベース部の前記開口部から突出した前記ダクトの端面に接するよう前記ベース部の幅寸法より狭く、かつ、前記ベース部の前記開口部より広いフランジ部を設け、前記フランジ部の略中央に、前記ダクトの内周に嵌挿して固定される略中央に開口を有する筒状部を有したキャップ部材を設け、前記ベース部の室外側に前記ダクトと連通する開口部を有したフードを備えたこととしたものであり、外壁から所定の長さだけ突出させたダクトの外周に、ダクトの外周より大きな開口部を有したベース部の開口部の内周を当接させて挿入し、ベース部から突出したダクトの端面に接するようにベースの幅寸法より小さく、かつ、ベース部の開口部より大きな外形を有するフランジ部を設け、前記フランジ部の略中央に開口を有した筒状部を有したキャップ部材をダクトの内周に嵌挿し固定するという作用を有する。
【００３６】
また、ベース部の開口部に、ダクトの外周に密着させるシールパッキンを設けたこととしたものであり、ベース部の開口部とダクトの外周との間に、シールパッキンが密着できるように挟まるという作用を有する。
【００３７】
また、ベース部の開口部の外周に、室内側に向けて折り曲げた段落とし部を形成したこととしたものであり、ダクトの外周を保持する開口部をさらに室内側に設けることができ、外壁面からのダクトの出代が少ない場合にもベース部やキャップ部材の固定に支障なく対応できるという作用を有する。
【００３８】
また、シールパッキンの内周部の断面形状を室外側に向けてテーパー形状とし、ダクトの外周とシールパッキンを密着させた時に、先端が室外側に傾く形状としたこととしたものであり、ダクト外周とシールパッキンを密着させた時に、先端の凸部が室外側に向くという作用を有する。
【００３９】
また、キャップ部材の筒状部の室内側下端に、上方に向けて折返し部を設けたこととしたものであり、フードの開口部から侵入した雨水が折返し部でせき止められ、侵入した逆の順序をたどって外部に戻されるという作用を有する。
【００４０】
また、キャップ部材の筒状部の外周に、室外側に向けて傾斜もしくは円弧状でバネ性を有する折返しツメ部を設けたこととしたものであり、折返しツメ部の先端が、ダクト内壁に引っ掛かるという作用を有する。
【００４１】
また、折返しツメ部を、筒状部の円周方向に複数個設けたこととしたものであり、複数の折返しツメ部先端が、ダクト内壁に引っ掛かるという作用を有する。
【００４２】
また、キャップ部材のフランジ部に、円周方向に複数個の開口部を設けたこととしたものであり、ダクトに嵌挿固定する際に、ダクト端面にフランジ面が当接するまで確実に圧入されているかを目視にて確認するという作用を有する。
【００４３】
また、キャップ部材のフランジ部に、室内側に向けて凸部を設けたこととしたものであり、フードの開口部から飛来した雨水がフランジ部の室外側面に付着した場合に、凸部を伝って下部に流れ落とすとともに、キャップ部材の強度を向上させるという作用を有する。
【００４４】
また、キャップ部材のフランジ部の外周に、室内側に向けて折返し部を設けたこととしたものであり、折返し部により、フランジ部の強度が向上するという作用を有する。
【００４５】
また、キャップ部材の筒状部の外周に、室外側に向けて傾斜または円弧状で頂部にツメ部を有した抜け止め用金具を設けたこととしたものであり、抜け止め用金具が、ダクト内壁に引っ掛かるという作用を有する。
【００４６】
また、フードの開口部の近傍で、かつ、両サイドの内面に設けられた下端がＬ字状の係合板と、ベース部に設けられ、前記係合板を係止し、前記フードの取付けを案内する係合穴を設けたこととしたものであり、フードをベースに固定する際、フードに設けられた下端がＬ字状の係合板が、フードの取付けを案内する係合穴に係合するという作用を有する。
【００４７】
また、Ｌ字状の係合板の根元側が高く、先端側が低くなるよう傾斜させたこととしたものであり、フードを下方向にスライドさせることで、係合板のＬ字状部をフードの係合穴により挟み込まれるという作用を有する。
【００４８】
また、フードの開口部に設けられ、ネジ穴を配して形成したガラリまたはネットと、前記ネジ穴に当接するよう係合板にネジ締部を設けたこととしたものであり、フードの開口部にガラリまたはネットをネジで固定し、ベース部にスライドさせるという作用を有する。
【００４９】
また、フード天面に設けたネジ穴と、ベース部の上部に前記ネジ穴が当接するようネジ締部を配したフード固定板を設けたこととしたものであり、外壁に固定されたベース部に、フードの上部でネジによって固定するという作用を有する。
【００５０】
以下、本発明の実施の形態について、図面を参照しながら説明する。
【００５１】
（実施の形態１）
図１に示すように、室内１と室外２を連通し、外壁３より所定の長さだけ突出させたダクト４の外周に挿入して固定するダクト４の外周より大きな開口部５を有したベース部６に、ベース部６の開口部５から突出したダクト４の端面に接するようベース部６の幅寸法より狭く、かつ、ベース部６の開口部５より広いフランジ部７を設け、フランジ部７の略中央に、ダクト４の内周に嵌挿して固定される略中央に開口８を有する筒状部９を有したキャップ部材１０を設け、ベース部６の室外２側にダクト４と連通する開口部１１を有したフード１２を備えた構成とする。
【００５２】
上記構成により、外壁から所定の長さだけ突出させたダクトの外周に、ダクトの外周より大きな開口部を有したベース部の開口部の内周を当接させて挿入し、ベース部から突出したダクトの端面に接するようにベースの幅寸法より小さく、かつ、ベース部の開口部より大きな外形を有するフランジ部を設け、前記フランジ部の略中央に開口を有した筒状部を有したキャップ部材をダクトの内周に嵌挿し固定する。
【００５３】
このように本発明の実施の形態１の外壁端末換気口によれば、本体やフードを外壁に固定する際、外壁の内側に配された気密または防水シートの損傷や、あるいは、外壁の損傷が生じないこととなる。
【００５４】
また、ベース部やフードを外壁面に固定する手段として、ベース部の開口部やキャップ部材を用いてネジを一切使用せず外壁面から突出させたダクトを利用して確実かつ強固に固定できるため、コスト低減や施工に伴う作業性を向上できる。
【００５５】
また、ネジにより外壁にクラックが発生し、そこから雨水や積雪が侵入し滞留や凍結することで、外壁損傷に至ってしまうのを防止することができる。
【００５６】
また、ネジ固定作業のために仮設足場を組む必要も無く、施工費用も低減できるとともに、フードやベース部などの外観に露出してしまうネジを最小限にすることができ、コストの低減や建物全体のデザインを向上させることができることとなる。
【００５７】
（実施の形態２）
図２において、図１と同じ構成要素については同じ符号を用いその説明を省略する。
【００５８】
図２に示すように、ベース部６の開口部５に、ダクト４の外周に密着させるシールパッキン１３を設けた構成とする。
【００５９】
上記構成により、ベース部の開口部とダクトの外周との間に、シールパッキンが密着できるように挟まっている。
【００６０】
このように本発明の実施の形態２の外壁端末換気口によれば、室内への雨水浸入が低減でき、かつ、ダクトへのベース部挿入固定性や取外し性などの作業性が向上でき、かつ、１種類で各種の多少の外形寸法の違いがあるダクトにも対応でき、共用化が図れることとなる。
【００６１】
（実施の形態３）
図３において、図１および図２と同じ構成要素については同じ符号を用いその説明を省略する。
【００６２】
図３に示すように、ベース部６の開口部５の外周に、室内１側に向けて折り曲げた段落とし部１４を形成した構成とする。
【００６３】
上記構成により、ダクトの外周を保持する開口部をさらに室内側に設けることができ、外壁面からのダクトの出代が少ない場合にもベース部やキャップ部材の固定に支障なく対応できる。
【００６４】
このように本発明の実施の形態３の外壁端末換気口によれば、外壁面からのダクトの出代が少ない場合にもベース部やキャップ部材の固定に支障なく対応できることとなる。
【００６５】
（実施の形態４）
図４において、図１〜図３と同じ構成要素については同じ符号を用いその説明を省略する。
【００６６】
図４に示すように、シールパッキン１３の内周部の断面形状を室外２側に向けてテーパー形状１５とし、ダクト４の外周とシールパッキン１３を密着させた時に、先端１６が室外２側に傾く形状とした構成とする。
【００６７】
上記構成により、ダクト外周とシールパッキンを密着させた時に、先端の凸部が室外側に向く。
【００６８】
このように本発明の実施の形態４の外壁端末換気口によれば、ダクト内から伝わる滴下水が外壁側に流出するのを防ぎ、その下方にある水切部に確実に落とすことができることとなる。
【００６９】
また、ベース部のダクトへの挿入固定性がさらに向上でき、換気性能が充分に確保できるとともに、本体および本体の設置時の奥行き寸法を薄くすることが可能になり建物全体建物全体のデザイン性が向上する。
【００７０】
（実施の形態５）
図５において、図１〜図４と同じ構成要素については同じ符号を用いその説明を省略する。
【００７１】
図５に示すように、キャップ部材１０の筒状部９の室内１側下端に、上方に向けて折返し部１７を設けた構成とする。
【００７２】
上記構成により、フードの開口部から侵入した雨水が折返し部でせき止められ、侵入した逆の順序をたどって外部に戻される。
【００７３】
このように本発明の実施の形態５の外壁端末換気口によれば、室内への雨水浸入が、さらに低減できることとなる。
【００７４】
（実施の形態６）
図６において、図１〜図５と同じ構成要素については同じ符号を用いその説明を省略する。
【００７５】
図６に示すように、キャップ部材１０の筒状部９の外周に、室外２側に向けて傾斜もしくは円弧状でバネ性を有する折返しツメ部１８を設けた構成とする。
【００７６】
上記構成により、折返しツメ部の先端が、ダクト内壁に引っ掛かる。
【００７７】
このように本発明の実施の形態６の外壁端末換気口によれば、キャップ部材のダクト内への挿入作業性を損なわずに、抜け強度が増し、製品落下を防止できることとなる。
【００７８】
（実施の形態７）
図７において、図１〜図６と同じ構成要素については同じ符号を用いその説明を省略する。
【００７９】
図７に示すように、折返しツメ部１８を、筒状部９の円周方向に複数個設けた構成とする。
【００８０】
上記構成により、複数の折返しツメ部先端が、ダクト内壁に引っ掛かる。
【００８１】
また、通風路を構成するダクトの内径とキャップ部材の筒状部をほぼ同心円で固定し、通風路を有効に構成できるようにする。
【００８２】
このように本発明の実施の形態７の外壁端末換気口によれば、キャップ部材の固定する強度がさらに向上できることとなる。
【００８３】
また、換気性能を充分に確保できることとなる。
【００８４】
（実施の形態８）
図８において、図１〜図７と同じ構成要素については同じ符号を用いその説明を省略する。
【００８５】
図８に示すように、キャップ部材１０のフランジ部７に、円周方向に複数個の開口部１９を設けた構成とする。
【００８６】
上記構成により、ダクトに嵌挿固定する際に、ダクト端面にフランジ面が当接するまで確実に圧入されているかを目視にて確認する。
【００８７】
このように本発明の実施の形態８の外壁端末換気口によれば、ダクトに嵌挿固定する際にダクト端面にフランジ面が当接するまで確実に圧入されているかを目視にて確認することができ、確実に圧入することができることとなる。
【００８８】
（実施の形態９）
図９において、図１〜図８と同じ構成要素については同じ符号を用いその説明を省略する。
【００８９】
図９に示すように、キャップ部材１０のフランジ部７に、室内１側に向けて凸部２０を設けた構成とする。
【００９０】
上記構成により、フードの開口部から飛来した雨水がフランジ部の室外側面に付着した場合に、凸部を伝って下部に流れ落とすとともに、キャップ部材の強度を向上させる。
【００９１】
このように本発明の実施の形態９の外壁端末換気口によれば、室内への雨水浸入がさらに低減ができ、かつ、凸部によりキャップ部材の強度を向上することができることとなる。
【００９２】
（実施の形態１０）
図１０において、図１〜図９と同じ構成要素については同じ符号を用いその説明を省略する。
【００９３】
図１０に示すように、キャップ部材１０のフランジ部７の外周に、室内１側に向けて折返し部２１を設けた構成とする。
【００９４】
上記構成により、折返し部により、フランジ部の強度が向上する。
【００９５】
このように本発明の実施の形態１０の外壁端末換気口によれば、キャップ部材の強度を、さらに向上することができることとなる。
【００９６】
（実施の形態１１）
図１１において、図１〜図１０と同じ構成要素については同じ符号を用いその説明を省略する。
【００９７】
図１１に示すように、キャップ部材１０の筒状部９の外周に、室外２側に向けて傾斜または円弧状で頂部にツメ部２２を有した抜け止め用金具２３を設けた構成とする。
【００９８】
上記構成により、抜け止め用金具が、ダクト内壁に引っ掛かる。
【００９９】
このように本発明の実施の形態１１の外壁端末換気口によれば、通風路に生じる抵抗を最小限に構成でき、換気性能を向上することができることとなる。
【０１００】
また、開口を通じて空気の漏れがないので、例えば筒状部内部に防火ダンパーを組み込んでも遮煙性能や漏煙性能に支障をきたすことが無いので、容易に防火ダンパー付の機種展開が図れるとともに、施工手順に変更無く、キャップ部材の交換のみで防火ダンパー有無の機種変更が可能になるため、在庫費用の低減や施工現場での用途変更に柔軟に対応できる。
【０１０１】
（実施の形態１２）
図１２および図１３において、図１〜図１１と同じ構成要素については同じ符号を用いその説明を省略する。
【０１０２】
図１２および図１３に示すように、フード１２の開口部１１の近傍で、かつ、両サイドの内面に設けられた下端がＬ字状の係合板２４と、ベース部６に設けられ、係合板２４を係止し、フード１２の取付けを案内する係合穴２５を設けた構成とする。
【０１０３】
上記構成により、フードをベースに固定する際、フードに設けられた下端がＬ字状の係合板が、フードの取付けを案内する係合穴に係合する。
【０１０４】
このように本発明の実施の形態１２の外壁端末換気口によれば、フードをベースに固定する際に外壁にネジを使用しないので外壁損傷の恐れがなく、かつ、容易に確実にフードをスライドさせてフードの下端をベース部に固定でき、落下することなく支持することができることとなる。
【０１０５】
また、さらにフードをコンパクトに構成でき、かつネジの露出がないのでデザイン性を向上できるとともに、製造原価も低減できる。
【０１０６】
また、製造上の寸法規制が難しいフード下部の形状が、ベース部への固定と共に矯正される。
【０１０７】
（実施の形態１３）
図１４において、図１〜図１３と同じ構成要素については同じ符号を用いその説明を省略する。
【０１０８】
図１４に示すように、Ｌ字状の係合板２４の根元２６側が高く、先端２７側が低くなるよう傾斜させた構成とする。
【０１０９】
上記構成により、フードを下方向にスライドさせることで、係合板のＬ字状部をフードの係合穴により挟み込まれる。
【０１１０】
このように本発明の実施の形態１３の外壁端末換気口によれば、フードのベース部への挿入作業性を損なわずに、ガタツキを防止し、かつ、確実かつ強固な固定をすることができることとなる。
【０１１１】
（実施の形態１４）
図１５において、図１〜図１４と同じ構成要素については同じ符号を用いその説明を省略する。
【０１１２】
図１５に示すように、フード１２の開口部１１に設けられ、ネジ穴２８を配して形成したガラリ２９と、ネジ穴２８に当接するよう係合板２４にネジ締部３０を設けた構成とする。
【０１１３】
上記構成により、フードの開口部にガラリまたはネットをネジで固定し、ベース部にスライドさせる。
【０１１４】
このように本発明の実施の形態１４の外壁端末換気口によれば、フードの開口部にガラリまたはネットをネジを用いて確実に固定でき、その状態でベース部にスライドさせて確実かつ強固に固定することができることとなる。
【０１１５】
なお、ガラリ２９は、ネットでも良いことは言うまでもない。
【０１１６】
また、ネジ締部を別部品で構成するより、資材費や加工費が低減できるとともに、施工後のメンテナンス時において、ガラリやネットをフードに固定しているネジをはずすことなしに、簡単にフードをスライドさせて取外せるので、より容易にメンテナンスが可能になる。
【０１１７】
（実施の形態１５）
図１６において、図１〜図１５と同じ構成要素については同じ符号を用いその説明を省略する。
【０１１８】
図１６に示すように、フード１２天面に設けたネジ穴３１と、ベース部６の上部にネジ穴３１が当接するようネジ締部３２を配したフード固定板３３を設けた構成とする。
【０１１９】
上記構成により、外壁に固定されたベース部に、フードの上部でネジによって固定する。
【０１２０】
このように本発明の実施の形態１５の外壁端末換気口によれば、フードを固定する際に外壁にネジを使用することなく、外壁に固定されたベース部にフード上部がネジを使用して固定可能になるり、外壁損傷の恐れが無く、固定強度が向上し落下防止をすることができることとなる。
【０１２１】
また、フード固定用のネジがフード天面に配されるため、建物の高所に施工される外壁端末換気口においては、ネジ頭の露出が目立ちにくく、製品や建物全体のデザイン性が損なわれることがない。
【産業上の利用可能性】
【０１２２】
本発明に係る外壁端末換気口における本体やフードの外壁に固定する構成は、外壁の内側に配された気密または防水シートの損傷や、あるいは、外壁の損傷が生じないという効果のある構成によって、換気装置、送風機、空気調和機、熱交換気扇等に取付けられる本やフードにも適用できる。
【図面の簡単な説明】
【０１２３】
【図１】本発明の実施の形態１の外壁端末換気口の構成を示す分解斜視図
【図２】本発明の実施の形態２の外壁端末換気口の外壁への取り付け後の状態を示す側面構成図
【図３】本発明の実施の形態３の外壁端末換気口の外壁への取り付け後の状態を示す側面構成図
【図４】本発明の実施の形態４の外壁端末換気口の外壁への取り付け後の状態を示す側面構成図
【図５】本発明の実施の形態５の外壁端末換気口の外壁への取り付け後の状態を示す側面構成図
【図６】本発明の実施の形態６の外壁端末換気口のキャップ部材の構成を示す側面構成図
【図７】本発明の実施の形態７の外壁端末換気口のキャップ部材の構成を示す背面図
【図８】本発明の実施の形態８の外壁端末換気口のキャップ部材の構成を示す正面図
【図９】本発明の実施の形態９の外壁端末換気口のキャップ部材の構成を示す側面構成図
【図１０】本発明の実施の形態１０の外壁端末換気口のキャップ部材の構成を示す側面構成図
【図１１】本発明の実施の形態１１の外壁端末換気口のキャップ部材の構成を示す側面構成図
【図１２】本発明の実施の形態１２の外壁端末換気口の構成を示す分解斜視図
【図１３】同外壁端末換気口の外壁への取り付け後の状態を示す側面構成図
【図１４】本発明の実施の形態１３の外壁端末換気口の外壁への取り付け後の状態を示す側面構成図
【図１５】本発明の実施の形態１４の外壁端末換気口の外壁への取り付け後の状態を示す側面構成図
【図１６】本発明の実施の形態１５の外壁端末換気口の外壁への取り付け後の状態を示す側面構成図
【符号の説明】
【０１２４】
１    室内
２    室外
３    外壁
４    ダクト
５    開口部
６    ベース部
７    フランジ部
８    開口
９    筒状部
１０  キャップ部材
１１  開口部
１２  フード
１３  シールパッキン
１４  段落とし部
１５  テーパー形状
１６  先端
１７  折返し部
１８  折返しツメ部
１９  開口部
２０  凸部
２１  折返し部
２２  ツメ部
２３  抜け止め用金具
２４  係合板
２５  係合穴
２６  根元
２７  先端
２８  ネジ穴
２９  ガラリ
３０  ネジ締部
３１  ネジ穴
３２  ネジ締部
３３  フード固定板
【図１】
2010032084.tif 000003
【図２】
2010032084.tif 000004
【図３】
2010032084.tif 000005
【図４】
2010032084.tif 000006
【図５】
2010032084.tif 000007
【図６】
2010032084.tif 000008
【図７】
2010032084.tif 000009
【図８】
2010032084.tif 000010
【図９】
2010032084.tif 000011
【図１０】
2010032084.tif 000012
【図１１】
2010032084.tif 000013
【図１２】
2010032084.tif 000014
【図１３】
2010032084.tif 000015
【図１４】
2010032084.tif 000016
【図１５】
2010032084.tif 000017
【図１６】
2010032084.tif 000018